(57)【要約】      （修正有）【課題】浴室の浴槽受けパンひいては浴室床構造の位置出しや設置作業を簡易化する浴室床構造を提供する。【解決手段】浴室の洗い場に洗い場床パネル３を設け、浴槽の底部に浴槽受けパン２を設ける。洗い場床パネル３のパネル本体３０の洗い場床端部３ｅに硬質のカバー部材５０を設ける。カバー部材５０に第１嵌合部５４を形成する。浴槽受けパン２における洗い場を向く浴槽受け端部２２の底面には第２嵌合部２３を設ける。第１嵌合部５４に第２嵌合部２３を上方から被せるようにして嵌合させる構成とした。【選択図】図５
2019094759.tif 000002
【特許請求の範囲】
【請求項１】
洗い場と浴槽を含む浴室の床構造であって、
洗い場に設けられる洗い場床パネルと、浴槽を受ける浴槽受けパンとを備え、
前記洗い場床パネルが、パネル本体と、前記パネル本体の浴槽を向く洗い場床端部に被さる硬質のカバー部材とを含み、前記カバー部材には上方へ突出する凸状又は下方へ凹む凹状の第１嵌合部が形成されており、
前記浴槽受けパンにおける洗い場を向く浴槽受け端部の底面には、上方へ凹む凹状又は下方へ突出する凸状の第２嵌合部が設けられ、
前記第１嵌合部に前記第２嵌合部が上方から被さるようにして嵌合されていることを特徴とする浴室床構造。
【請求項２】
前記第１嵌合部が上へ突出する係止部を有し、前記第２嵌合部には前記係止部が無理嵌めされる係止溝が形成されていることを特徴とする請求項１に記載の浴室床構造。
【請求項３】
前記係止部には斜め下へ突出する返し突起が形成されていることを特徴とする請求項２に記載の浴室床構造。
【請求項４】
前記浴槽受けパンが、発泡樹脂からなる受けパン本体を備え、前記受けパン本体に前記係止溝が形成されていることを特徴とする請求項２又は３に記載の浴室床構造。
【請求項５】
前記パネル本体の洗い場床端部には立ち上がり部が形成され、前記立ち上り部の浴槽を向く側面と上面と洗い場を向く側面とのうち少なくとも浴槽を向く側面及び上面に前記カバー部材が被さっていることを特徴とする請求項１〜４の何れか１項に記載の浴室床構造。
【請求項６】
前記パネル本体が発泡樹脂によって構成され、かつ前記パネル本体の底面、側面及び上面が前記パネル本体より硬質の殻体によって覆われており、
前記カバー部材が、前記殻体における前記底面を覆う部分又は前記側面を覆う部分と連なり前記殻体の一部を構成していることを特徴とする請求項５に記載の浴室床構造。
【請求項７】
前記洗い場床端部及び前記カバー部材が前記浴槽受け端部より上方へ突出され、
前記カバー部材の浴槽を向く側面に、前記浴槽受け端部の上面の正規の高さを示す高さ標示が設けられていることを特徴とする請求項１〜６の何れか１項に記載の浴室床構造。
【請求項８】
前記洗い場床端部の上面における洗い場と浴槽を結ぶ前後方向と直交する幅方向の中央部に洗い場側センター表示が形成され、
前記浴槽受け端部の上面における前記幅方向の中央部に浴槽側センター表示が形成されていることを特徴とする請求項１〜７の何れか１項に記載の浴室床構造。
【請求項９】
前記浴槽受けパンが載置される支持架台を更に備え、
前記支持架台が、支持脚と、前記支持脚の上端部に水平に支持された架台フレームを含み、前記架台フレームの洗い場側の端部が、前記洗い場床パネルに接続されていることを特徴とする請求項１〜８の何れか１項に記載の浴室床構造。 
【発明の詳細な説明】
【技術分野】
【０００１】
本発明は、洗い場と浴槽を含む浴室に関し、特に浴室床パンが洗い場床パネルと浴槽受けパンに分割された浴室床構造に関する。
【背景技術】
【０００２】
浴室には洗い場と浴槽が設けられている。例えば特許文献１における浴室床構造は、洗い場床パネルと、浴槽受けパンとに分割されている。洗い場床パネルが洗い場に設置されている。浴槽受けパンは浴槽の底部に設置され、浴槽を受けている。洗い場床パネルの端面が浴槽受けパンに接合され、かつ防水コーキングが施されている。
【先行技術文献】
【特許文献】
【０００３】
【特許文献１】特開２００７−２７８００６号公報
【発明の概要】
【発明が解決しようとする課題】
【０００４】
この種の浴室床構造を組み立てる際は、洗い場床パネルを先行して建築躯体に設置し、その後、浴槽受けパンを設置するのが一般的である。浴槽受けパンの設置時は、位置出しケガキ線や左右のチリ（隙間）を見て浴槽受けパンの位置出しを行なう。しかしながら、建築躯体と浴槽受けパンの外周との間には殆ど余裕がなく、作業者は洗い場床パネルに載った状態で身を乗り出して浴槽受けパンの位置調整やレベル出しをする必要がある。
本発明は、かかる事情に鑑み、浴槽受けパンひいては浴室床構造の位置出しや設置作業を簡易化することを目的とする。
【課題を解決するための手段】
【０００５】
前記課題を解決するために、本発明は、洗い場と浴槽を含む浴室の床構造であって、
洗い場に設けられる洗い場床パネルと、浴槽を受ける浴槽受けパンとを備え、
前記洗い場床パネルが、パネル本体と、前記パネル本体の浴槽を向く洗い場床端部に被さる硬質のカバー部材とを含み、前記カバー部材には上方へ突出する凸状又は下方へ凹む凹状の第１嵌合部が形成されており、
前記浴槽受けパンにおける洗い場を向く浴槽受け端部の底面には、上方へ凹む凹状又は下方へ突出する凸状の第２嵌合部が設けられ、
前記第１嵌合部に前記第２嵌合部が上方から被さるようにして嵌合されていることを特徴とする。
【０００６】
当該浴室床構造を建築躯体に設置する際は、好ましくは先に洗い場床パネルを搬入して設置する。続いて、浴槽受けパンを搬入し、浴槽受け端部を洗い場床端部に被せるようにして、浴槽受けパンを設置する。このとき、第２嵌合部が第１嵌合部に凹凸嵌合される。該凹凸嵌合によって浴槽受けパンの前後方向（洗い場と浴槽を結ぶ方向）の位置出しが容易になる。好ましくは、カバー部材はパン本体より硬質である。硬質のカバー部材に第１嵌合部を形成することによって、浴槽受けパンを確実に位置固定できる。
更にカバー部材によって洗い場床端部を保護できる。前記カバー部材は、好ましくはアルミ押出成形材によって構成される。これによって、安価に作製できる。また、浴室の水による腐食を抑制できる。
【０００７】
前記第１嵌合部が上へ突出する係止部を有し、前記第２嵌合部には前記係止部が無理嵌めされる係止溝が形成されていることが好ましい。 
無理嵌めによって第２嵌合部のぐらつきが無くなる。したがって、浴槽受けパンをより正確に位置出しできる。
【０００８】
前記係止部には斜め下へ突出する返し突起が形成されていることが好ましい。
返し突起は浴槽受けパンに喰い込む。これによって、浴槽受けパンの浮きを阻止できる。
【０００９】
前記浴槽受けパンが、発泡樹脂からなる受けパン本体を備え、前記受けパン本体に前記係止溝が形成されていることが好ましい。
これによって、浴槽受けパンを軽量化でき設置作業を楽に行なうことができる。かつ、係止部を係止溝に確実に無理嵌めでき、浴槽受けパンを確実に位置固定できる。
【００１０】
前記パネル本体の洗い場床端部には立ち上がり部が形成され、前記立ち上り部の浴槽を向く側面と上面と洗い場を向く側面とのうち少なくとも浴槽を向く側面及び上面に前記カバー部材が被さっていることが好ましい。
立ち上り部によって、洗い場の使用水が浴槽側へ流れるのを堰き止めることができる。立ち上り部をカバー部材によって保護できる。
洗い場床パネルの上面の表皮シートにおける浴槽側の端部が、立ち上り部に沿って立ち上がり、立ち上り部の洗い場を向く側面を覆うことが好ましい。
【００１１】
前記パネル本体が発泡樹脂によって構成され、かつ前記パネル本体の底面、側面及び上面が前記パネル本体より硬質の殻体によって覆われていることが好ましい。これによって、洗い場床パネルの発泡樹脂製のパネル本体を殻体で囲んで補強できる。かつ洗い場床パネルを安価に作製できる。
前記カバー部材が、前記殻体における前記底面を覆う部分又は前記側面を覆う部分と連なり前記殻体の一部を構成していることが好ましい。これによって、浴槽受けパンが第１嵌合部を介して殻体と接合される。よって、浴槽受けパンを確実に位置固定できる。
前記カバー部材は、前記殻体における前記底面を覆う部分又は前記側面を覆う部分と同体でもよく別体であってもよい。別体の場合、カバー部材は、ビス、溶接、リベット止めなどの接合手段によって殻体に接合されていてもよい。
前記殻体の材質は、ステンレスなどの錆びにくい金属であることが好ましい。これによって、所要の金属を確保するとともに、浴室の水に晒されても、腐食を防止できる。
【００１２】
前記洗い場床端部及び前記カバー部材が前記浴槽受け端部より上方へ突出され、
前記カバー部材の浴槽を向く側面に、前記浴槽受け端部の上面の正規の高さを示す高さ標示が設けられていることが好ましい。
浴槽受けパンの第２嵌合部を第１嵌合部に嵌め込む際は、前記高さ標示が見えるか否かによって嵌合深さを確認できる。浴槽受け端部の上面を前記高さ標示に合わせることによって、浴槽受けパンを洗い場床パネルに対して上下に正確に位置決めできる。
【００１３】
前記洗い場床端部の上面における洗い場と浴槽を結ぶ前後方向と直交する幅方向の中央部に洗い場側センター表示が形成され、かつ前記浴槽受け端部の上面における前記幅方向の中央部に浴槽側センター表示が形成されていることが好ましい。
これらセンター表示が一致するように浴槽受けパンを幅方向に位置調節することによって、浴槽受けパンの幅方向の位置出しを簡単かつ正確に行なうことができる。
【００１４】
前記浴室床構造が、前記浴槽受けパンが載置される支持架台を更に備えていることが好ましい。
前記支持架台が、支持脚と、前記支持脚の上端部に水平に支持された架台フレームを含み、前記架台フレームの洗い場側の端部が、前記洗い場床パネルに接続されていることが好ましい。前記架台フレームの洗い場側の端部が、前記洗い場床パネルの殻体に接続されていることが、より好ましい。
洗い場床パネルの設置後、架台フレームを洗い場床パネルに合わせてレベル出しする。その後、浴槽受けパンを支持架台に載せる。これによって、浴槽受けパンを簡易かつ容易に所定の高さに水平に設置できる。
【発明の効果】
【００１５】
本発明によれば、浴槽受けパンひいては浴室床構造の位置出しや設置作業を簡易化できる。
【図面の簡単な説明】
【００１６】
【図１】図１は、本発明の第１実施形態に係る浴室を示す、図２のＩ−Ｉ線に沿う側面断面図である。
【図２】図２は、前記浴室の床ユニット（浴室床構造）を示す平面図である。
【図３】図３は、前記浴室床ユニットの斜視図である。
【図４】図４は、前記浴室床ユニットの洗い場床パネルの分解斜視図である。
【図５】図５は、図２のＶ−Ｖ線に沿う、浴槽受けパンと洗い場床パネルの接続部の拡大側面断面図である。
【図６】図６は、図３の円部ＶＩにおけるカバー部材を実線で示し、浴槽受けパンを二点鎖線にて示す斜視図である。
【図７】図７は、浴槽受けパンを設置する際の前記接続部の拡大側面断面図である。
【発明を実施するための形態】
【００１７】
以下、本発明の一実施形態を図面にしたがって説明する。
図１及び図２に示すように、浴室１は、浴槽１ａと、洗い場１ｂを備えている。浴槽１ａと洗い場１ｂが、幅方向（図２の上下方向）と直交する前後方向（図２の左右方向）に並んで配置されている。浴槽１ａの底部に浴槽受けパン２が設けられている。洗い場１ｂの底部に、洗い場床パネル３が設けられている。
【００１８】
図５に示すように、浴槽受けパン２は、受けパン本体２０と、表層２１を備えている。受けパン本体２０は、発泡ポリスチレン（ＥＰＳ）等の発泡樹脂によって構成されている。詳細な図示は省略するが、表層２１は、耐薬品層、強度確保層、受けパン本体２０との接合層などを含む積層樹脂フィルムによって構成されている。
【００１９】
図１に示すように、浴槽受けパン２の外周部には側壁が設けられている。図５に示すように、そのうち洗い場側の側壁２２（洗い場を向く浴槽受け端部）の底面には、第２嵌合部２３が設けられている。第２嵌合部２３は、切れ込み状ないしはスリット状の係止溝２３ａを含む。係止溝２３ａは、側壁２２における受けパン本体２０の下面から上方へ切り込まれるように凹んでいる。つまり、係止溝２３ａは、受けパン本体２０を構成する発泡樹脂に形成されている。係止溝２３ａより洗い場側（図５において右側）の第２嵌合部２３は、下方へ突出する凸状部２３ｂになっている。
【００２０】
図６に示すように、側壁２２の上面における幅方向（洗い場１ｂと浴槽１ａを結ぶ方向と直交する方向）のちょうど中央部には、浴槽側センター表示２７が形成されている。
【００２１】
浴槽受けパン２は、例えば次のようにして作製される。
まず、表層２１を真空成形する。該表層２１を発泡金型の一方の型面にセットし、受けパン本体２０を発泡成形する。該発泡成形の過程で、表層２１の前記接合層と受けパン本体２０とが熱溶着される。したがって、別途の貼合せ工程を省略できる。
なお、受けパン本体２０と表層２１を接着剤によって貼り合わせることにしてもよい。
【００２２】
図１及び図２に示すように、浴槽受けパン２の底部には支持架台４０が設けられている。支持架台４０上に浴槽受けパン２が載置されている。
支持架台４０は、複数の支持脚４１と、架台フレーム４２を含む。支持脚４１が建築躯体の床面に鉛直に立設されている。複数の支持脚４１の上端部に架台フレーム４２が水平に支持されている。架台フレーム４２は、前後方向へ延びる縦梁４２ａと、幅方向へ延びる横梁４２ｂを含む。縦梁４２ａの洗い場側の端部は、洗い場床パネル３の底部へ向けて延びている。洗い場床パネル３の後記底板部３３ａには吊柱４３が垂設されている。縦梁４２ａひいては架台フレーム４２が、吊柱４３の下端部に好ましくは回転可能に連結されている。
【００２３】
図２及び図３に示すように、洗い場床パネル３は、パネル本体３０と、殻体３１と、表層シート３４を備え、平面視で長方形状（四角形状）になっている。
【００２４】
パネル本体３０は、発泡ポリスチレン（ＥＰＳ）等の発泡樹脂によって長方形（四角形）の板状に成形されている。前記ＥＰＳの発泡倍率は、好ましくは１５倍〜３０倍程度であり、より好ましくは２０倍程度である。なお、パネル本体３０の材質は、ＥＰＳに限られず、発泡ポリプロピレン、発泡ポリエチレン等であってもよい。
【００２５】
図１及び図４に示すように、パネル本体３０ひいては洗い場床パネル３の上面には排水口３ｃへ向かって下がり勾配が付けられている。排水口３ｃには、排水ベース部材３６ａと、排水縁部材３６ｂからなる排水口部材３６が設けられている。
【００２６】
図３及び図４に示すように、パネル本体３０ひいては洗い場床パネル３における浴槽側を除く３つの縁部には、枠部材３７が設けられている。図１に示すように、枠部材３７に浴室壁１ｗ又は浴室扉枠１ｆの下端部が嵌められている。
【００２７】
図５に示すように、パネル本体３０ひいては洗い場床パネル３における浴槽側（図５において左側）を向く洗い場床端部３ｅには、立ち上り部３５（土手部）が一体形成されている。言い換えると、立ち上り部３５は、パネル本体３０と同体の発泡樹脂によって構成されている。立ち上り部３５は、洗い場床パネル３の当該立ち上り部３５を除く上面より上方へ突出されるとともにパネル本体３０の浴槽１ａ側の端部に沿って延びている。
立ち上り部３５は、浴槽受けパン２における洗い場側（図５において右側）の側壁２２（浴槽受け端部）よりも高く突出されている。
【００２８】
図４に示すように、殻体３１は、上下の補強パネル部材３２，３３を含む。これら補強パネル部材３２，３３は、鋼板などの金属板によって構成されている。下側補強パネル部材３３は、底板部３３ａと、側板部３３ｂを有している。底板部３３ａが、パネル本体３０の底面に被さっている。底板部３３ａの４つの端部から側板部３３ｂがほぼ直角に立ち上がり、パネル本体３０の４つの端面にそれぞれ被さっている。隣接する側板部３３ｂどうしは縁切りスリット３３ｃによって縁切りされている。
上側補強パネル部材３２が、パネル本体３０における立ち上り部３５を除く上面に被さっている。
パネル本体３０と殻体３１とは、例えば熱硬化性の接着剤（図示省略）によって接着されている。
【００２９】
図４に示すように、上側補強パネル部材３２の上面には表層シート３４が被さっている。表層シート３４は、軟質塩化ビニル樹脂（ＰＶＣ）によって構成されているが、これに限られずシリコンラバー等によって構成されていてもよい。表層シート３４は、防水性を有している。更に、表層シート３４によって、洗い場床パネル３の温熱感性及びクッション性が確保されている。
図５に示すように、表層シート３４における浴槽側の端部は、立ち上り部３５に沿うように上方へ曲げられ、立ち上り部３５における洗い場を向く側面に被さっている。
表層シート３４は、例えば両面粘着テープ（図示省略）を介して上側補強パネル部材３２及び立ち上り部３５に貼り付けられている。
【００３０】
図５に示すように、さらに殻体３１は、カバー部材５０を構成要素として含む。図５及び図６に示すように、カバー部材５０は、３つの被さり部５１，５２，５３を有して断面コ字状に形成され、かつ洗い場床パネル３の幅方向に沿って延びている。
カバー部材５０は、下側補強パネル部材３３とは別体のアルミ押出成形材（金属材）によって構成され、受けパン本体２０より硬質である。
【００３１】
図１に示すように、カバー部材５０は、洗い場床端部３ｅに配置されている。図５に示すように、カバー部材５０の側面被さり部５２の下側部分及び底面被さり部５１が、下側補強パネル部材３３とビス止め等によって接合されている。側面被さり部５２の上側部分が、立ち上り部３５の浴槽１ａを向く側面に被せられている。上面被さり部５３が、立ち上り部３５の上面に被せられている。これによって、立ち上り部３５が補強されている。
【００３２】
図５に示すように、カバー部材５０は、立ち上り部３５と同様に、浴槽受けパン２の側壁２２よりも高く突出されている。
【００３３】
図５に示すように、カバー部材５０の側面被さり部５２には、上方へ突出する凸状又は下方へ凹む凹状の第１嵌合部５４が形成されている。第１嵌合部５４は、受け板部５４ａと係止部５４ｂを有して断面Ｌ字状に形成され、かつカバー部材５０の長手方向（洗い場床パネル３の幅方向）へ延びている。受け板部５４ａは、側面被さり部５２から浴槽１ａ側（図５において左側）へ水平に突出されている。受け板部５４ａの先端部から係止部５４ｂが上方へ凸状に突出されている。係止部５４ｂと受け板部５４ａと側面被さり部５２によって、下方へ凹む凹状部５４ｃが形成されている。
【００３４】
図６に示すように、係止部５４ｂの先端部（上端部）は、クサビ形ないしはヤジリ形になっている。すなわち、係止部５４ｂの先端部は先細に尖っている。かつ係止部５４ｂの先端部には、斜め下へ突出する返し突起５４ｆが形成されている。
【００３５】
図５に示すように、洗い場床パネル３の洗い場床端部３ｅに浴槽受けパン２の側壁２２が接合されている。第１嵌合部５４に第２嵌合部２３が上方から被さるようにして嵌合されている。詳しくは、凹状部５４ｃに凸状部２３ｂが嵌め入れられている。係止部５４ｂが、係止溝２３ａに嵌め込まれて係止されている。返し突起５４ｆが、発泡樹脂製の受けパン本体２０に喰い込んでいる。これによって、係止部５４ｂが係止溝２３ａに無理嵌め（圧入）されている。
【００３６】
図５及び図６に示すように、側面被さり部５２の外側面（図５において左側面）には、高さ標示５６が形成されている。高さ標示５６は、カバー部材５０の上面における長手方向（洗い場床パネル３の幅方向）へ真っ直ぐに延びる凸状になっている。標示５６の高さは、浴槽受けパン２の上面の正規の高さとちょうど一致している。
【００３７】
図３及び図６に示すように、カバー部材５０の上面における長手方向（洗い場床パネル３の幅方向）のちょうど中央部には、洗い場側センター表示５７が形成されている。
【００３８】
図５に示すように、カバー部材５０と浴槽受けパン２との間は、発泡エチレンプロピレンゴム（ＥＰＤＭ）、発泡ポリエチレン（ＰＥ）などの水密材６１及びシーリング材６２によって防水されている。水密材６１は、浴槽受パン本体２０の側面に貼り付けられている。シーリング材６２は、建築躯体における浴室施工現場において塗布される。
【００３９】
洗い場床パネル３は、例えば次のようにして作製される。
洗い場床パネル３の構成部材をそれぞれ作製する。
下側補強パネル部材３３又はパネル本体３０に熱硬化性接着剤を塗布し、下側補強パネル部材３３上にパネル本体３０を載せる。
次いで、パネル本体３０又は上側補強パネル部材３２に熱硬化性接着剤を塗布し、パネル本体３０上に上側補強パネル部材３２を被せる。
これらパネル積層体３０，３２，３３を真空圧空熱プレス機で圧力を加えながら加熱することによって、前記接着剤を硬化させる。
パネル本体３０の立ち上り部３５にはカバー部材５０を被せ、下側補強パネル部材３３にビス止めする。
排水口３ｃには排水口部材３６を設ける。
パネル本体３０の浴槽側を除く３つの縁部には、枠部材３７を設ける。
更に、表層シート３４を上側補強パネル部材３２に貼り付ける。表層シート３４の浴槽側部分は、立ち上り部３５の洗い場側面に貼り付ける。
洗い場床パネル３よれば、発泡樹脂製のパネル本体３０を殻体３１で囲んで補強できる。かつ洗い場床パネル３を安価に作製できる。
【００４０】
建築躯体の浴室施工現場において浴室床構造１ｃを組み立てる際は、先ず洗い場床パネル３を前記現場に搬入して洗い場１ｂに設置する。
浴槽部分の底部には支持架台４０を設置する。該支持架台４０の縦梁４２ａを、吊柱４３を介して洗い場床パネル３の底板部３３ａに連結する。そして、支持架台４０を洗い場床パネル３に合わせてレベル出しする。具体的には、複数の支持脚４１を互いに高さ調節することによって、架台フレーム４２を水平かつ規定高さにセットする。
【００４１】
その後、浴槽受けパン２を浴室施工現場に搬入し、該浴槽受けパン２を支持架台４０上に載せるとともに、側壁２２を洗い場床端部３ｅに被せる。浴槽受けパン２は軽量化されているから設置作業を楽に行なうことができる。例えば、発泡樹脂からなる浴槽受パン２は、ＦＲＰ製の浴槽受けパンに比べて、３分の１〜４分の１程度の重さにすることができる。
このとき、洗い場側センター表示５７と浴槽側センター表示２７が一致するように浴槽受けパン２を幅方向に位置調節する（図６）。これによって、浴槽受けパン２の幅方向の位置出しを簡単かつ正確に行なうことができる。
さらに、側壁２２を洗い場床端部３ｅに被せることによって、第２嵌合部２３が第１嵌合部５４に凹凸嵌合される。これによって、浴槽受けパン２を洗い場床パネル３に対して前後方向に容易に位置出しできる。しかも、第１嵌合部５４の係止部５４ｂが第２嵌合部２３の係止溝２３ａに無理嵌めされるため、第２嵌合部２３のぐらつきが無くなる。したがって、浴槽受けパン２を一層正確に位置出しできる。
前記嵌合によって、返し突起５４ｆが浴槽受けパン２に喰い込む。これによって、浴槽受けパン２の浮きを阻止できる。
【００４２】
図７に示すように、浴槽受けパン２が洗い場床パネル３に対して規定の上下方向位置まで降ろしきれていない状態では、高さ標示５６が側壁２２に被さって隠れている。
図５及び図６に示すように、規定の上下方向位置まで降ろしきったとき、側壁２２の上面が高さ標示５６と同じ高さないしは少し下に位置されることによって、高さ標示５６が外部に現れる。したがって、高さ標示５６が見えるか否かによって、浴槽受けパン２を規定の上下方向位置まで降ろし得たかを確認でき、更には第２嵌合部２３が第１嵌合部５４に規定の嵌合深さまで嵌合し得たかを確認できる。これによって、第２嵌合部２３を第１嵌合部５４にしっかりと嵌合できるとともに、浴槽受けパン２を支持架台４０にしっかりと水平に載せることができる。
このようにして、浴槽受けパン２を前後、左右、上下に正確に位置決めして設置できる。狭い浴室施工現場で洗い場床パネル３から身を乗り出して設置作業を行なう場合であっても、浴槽受けパン２を容易かつ正確に設置することができる。
【００４３】
次に、側壁２２の上面とカバー部材５０の隅角部にシーリング材６２を塗布する。これによって、浴槽受けパン２と洗い場床パネル３との間を、水密材６１とシーリング材６２とによって二重に防水できる。
そして、浴槽受けパン２の上に浴槽１ａを設置する。
更には、浴室壁１ｗや浴室扉枠１ｆを設置する。
浴槽受けパン２の側壁２２が立ち上り部３５よりも低くなるように段差が形成されているため、浴槽１ａの設置時や浴室壁１ｗの設置時に、これら浴槽１ａや浴室壁１ｗが側壁２２とぶつかって、側壁２２が損傷するのを防止できる。
立ち上り部３５は金属製のカバー部材５０によって覆うことで強度を確保できる。
【００４４】
浴室床構造１ｃによれば、立ち上り部３５によって、洗い場１ｂの使用水が浴槽１ａ側へ流れるのを堰き止めることができる。
加えて、立ち上り部３５によってシーリング材６２が洗い場１ｂ側からは隠れるため、例えば清掃時などにユーザーがシーリング材６２に触れないようにできる。したがって、浴槽受けパン２と洗い場床パネル３との間の水密性を長期にわたって確保できる。
【００４５】
本発明は、前記実施形態に限定されるものではなく、その趣旨に反しない限りにおいて種々の改変をなすことができる。
例えば、カバー部材５０が、立ち上り部３５の洗い場を向く側面にも被さっていてもよい。カバー部材５０が、立ち上り部３５の浴槽を向く側面全体ではなくその一部、上面の一部または下面の一部に被さっていてもよい。カバー部材５０が、殻体３１の他の構成部材（補強パネル部材３２，３３）や枠部材３７に固定されていてもよいし、それらと一体であってもよい。
カバー部材５０が、ＡＢＳ（アクリロニトリル・ブタジエン・スチレン共重合体）等の熱可塑性樹脂によって形成されていてもよい。
立ち上り部が洗い場床パネル３とは別に設けられていてもよい。
上側補強パネル部材３２を省略してもよい。パネル本体３０に表層シート３４を直接貼り付けてもよい。
浴室はシャワー室をも含む。
【産業上の利用可能性】
【００４６】
本発明は、例えば住宅等の建物に納められる浴室床ユニットに適用可能である。
【符号の説明】
【００４７】
１      浴室
１ａ    浴槽
１ｂ    洗い場
１ｃ    浴室床構造
２      浴槽受けパン
２０    受けパン本体
２１    表層
２２    洗い場側の側壁（浴槽受け端部）
２３    第２嵌合部
２３ａ  係止溝
２３ｂ  凸状部
２７    浴槽側センター表示
３      洗い場床パネル
３ｅ    洗い場床端部
３０    パネル本体 
３１    殻体
３４    表層シート
３５    立ち上り部（土手部）
３７    枠部材３７
４０    支持架台
４１    支持脚
４２    架台フレーム
４３    吊柱
５０    カバー部材
５４    第１嵌合部
５４ａ  受け板部
５４ｂ  係止部
５４ｃ  凹状部
５４ｆ  返し突起
５６    高さ標示
５７    洗い場側センター表示
【図１】
2019094759.tif 000003
【図２】
2019094759.tif 000004
【図３】
2019094759.tif 000005
【図４】
2019094759.tif 000006
【図５】
2019094759.tif 000007
【図６】
2019094759.tif 000008
【図７】
2019094759.tif 000009